(57)【要約】      （修正有）【課題】遠赤外線を用いて、電気エネルギーを節減できる絶縁節電装置を提供する。【解決手段】内壁に絹雲母などを主とした回転電磁波を発散するセラミック層１１を塗布し、それが外部に漏れないように遮断するまたはプラスティックハウジング１０と、ハウジング１０内部の空間に一定高さの間隔維持棒１２に支えらているセラミック層より発散する回転電磁波を吸収及び発散を繰り返し共鳴吸収の作用ができるようにする内蓋２０と、内蓋２０と床板の間の自由空間に誘導される回転電磁波が浸透できるようにする支えの絶縁板３１に付けられてある伝導板３０と、伝導板３０への回転電磁波を、ハウジング１０外部に流出する、電力母線につながっている電線３３と、を含む電気絶縁装置である。【選択図】図１
2006202777.tif 000002
【特許請求の範囲】
【請求項１】
内壁に絹雲母などを主材料として、回転電磁波を発散させるセラミック層（１１）を塗布し、外部への漏れを遮断する金属またはプラスティックのハウジング（１０）。  このハウジング（１０）の内部空間に一定の高さの間隔維持棒（１２）に支えられ、また、セラミック層で発散する回転電磁波を吸収及び発散を繰り返して共鳴吸収作用をするようにする内蓋板（２０）。
【請求項２】
第１項における内蓋板（２０）は、ハウジング（１０）の内壁と一定の空間を設けるようにする大きさでデザインされた特徴を持つ節電装置
【発明の詳細な説明】
【発明の詳細な説明】
〔発明についての    詳細説
【０００１】（発明に属する技術分野及びその分野の従来技術）本発明は絶縁節電装置に関するものとして、電気を供給する電力線に絶縁装置を繋ぐものである。、、絶縁装置は、ハウジングの内壁にセラミック層を設け中央に内蓋板きセラミック層より発散される回転電磁波を吸収及び発散させ、共吸収状態を提供することによって、絶縁装置より誘導される回転電を電力線に供給し、電気の消費量を抑え、電力使用を減少させる機する電気絶縁装置である。一般的に遠赤外線とは、電磁波の一種として２．５−１０００マイクロメまでの波長を意味する。しかし、産業界においては、主に利用され域は２．５−３０マイクロメーターである。  上記に遠赤外線は、共鳴吸収作用、放射及び深透力（Ｄｅｅｐ  ｆｏｒｃｅ）といった物性を持っている。分子は、原子の配列状態に特有な変角振動、回転振動及び伸縮振動をする。このような分子の振動波長を表す振動数は、分子構造の特定の値にて決定され、通常２．５−３０マイクロメーターの間にある。物質の遠赤外線を調査するときの放射エネルギーの振動数と分子の振数が一致すれば、分子は遠赤外線の放射エネルギーを吸収し振動はと激しくなる。これを共鳴吸収作用という。このような作用によって運動エネルギーの一部は、活性エネルギーわって分子運動が活性になる。また、放射とは、物質より放出する外線が熱として伝達することをいう。深透力（Ｄｅｅｐ  ｒｅａｃｈｉｎｇ  ｆｏｒｃｅ）とは、放射エネルギーの波長の二乗に比浸透量が決定されるものとして、短い波長の遠赤外線は、長い波長赤外線に較べ、浸透量が劣る。上記のように、最近では遠赤外線の特徴が様々な用途に用いられるようになった。その中でも最も商用に用いられている分野は、遠赤外線セラミックを利用する暖房装置又はサウナの設備である特に、上記の遠赤外線には体深くまで届き、体内の分子や原子を活し老廃物を排出し、新陳代謝を促進させ健康リズムを取り戻す効果る。その他にも遠赤外線を持つ効果は、数え切れないほどある。しかし、遠赤外線を電力節減に利用した例は未だかつてない。
【０００２】（発明が成し遂げたい技術的な課題）本発明の目的は、遠赤外線を用いて、ハウジングの内壁にはセラミック層を、中間空間には回転電磁波の共鳴吸収機能の電導板を置き、回転電磁波を空間に設けた電気線路に供給し、電力使用量を減少させることである。そのために、本発明は、特定波長帯の遠赤外線を、電流が流れる電気線路に供給するとき、電気線路の伝導体を構成する分子がこれを吸収する共鳴吸収振動を起こし分子を活性化させるように構成す  すなわち、電気線路を構成する伝導体に熱力学的活性化エネルギーである、回転電磁波（ＩＩ−Ｒａｙ）（Ｇｉｂｂｓ  ｆｒｅｅ  ｅｎｅｒｇｙ）を供給する空間を構成し、空間における回転電磁波を発生するセラミック層を内壁に塗布したハウジングと、ハウジング内部空間に一定の高さで支えられ、セラミック層より発散する回転電磁波を吸収及び発散を繰り返し共鳴吸収作用するようにする内蓋板、セラミック層より発生する回転電磁波を収集するように、内蓋板の下の空間に置いてある伝導体の電導板、電導板を通して収集する回転電磁波を排出できるように伝導体につなぐ線路の構成である。したがって、線路を通して排出する共鳴吸収活性化エネルギーによる伝導体の抵抗が減少することによって、電流量の消費を抑え、電気エネルギーが節減できるようにした。
【０００３】（発明の構成及び作用）本発明は、内壁に絹雲母などを主材料として、回転電磁波を発散させるセラミック層を塗布し外部に漏れないように遮断する金属またはプラスティックハウジングと、ハウジング内部の空間に一定の高さの間隔維持棒に支えられセラミック層より発散する回転電磁波を吸収及び発散を繰り返し共鳴吸収作用するようにする内蓋板と、内蓋板と床板の間の自由空間に誘導される回転電磁波が浸透できるように、支え絶縁板に設けられた電導板から構成されるものであっ電導板への回転電磁波を、ハウジング外部に流出させ電力母線につなぐ電線を含んで、構成した絶縁節電装置である。（１）  回転電磁波（ＩＩ−ＲＡＹ）の生成本発明の理論的背景である回転電磁波（ＩＩ−ＲＡＹ）は、遠赤外線放射体の材料であるセラミックの原子結合構造であり、それは共有結合と結晶化パイ結合が混合されている状態である。この状態で交番磁気場の発生とともに回転電磁波が生成される。そして、外部より吸収される熱エネルギーもまた回転電磁として変わる。また、セラミック粉末を金属にコーティングする場合、金属板の結晶結合とセラミックの共有結合の境界層でより多い回転電磁波が生成される。このような原理を遠赤外線放射体構造上に満足させ、その自体がエネルギーを生成して供給できる能力を備えるようにしたのが、本発明の技術的基本理論である。（２）  遠赤外線の放射及び吸収と回転電磁波の関係  各物質を構成する様々な分子構造には、その原子の質量構造上の集合方式や配列状態、そして集合力の差より特有の振動と回転の周波数がある。遠赤外線を物質に向けて放射するとき、放射エネルギーの振動数と物質の分子振動数が一致すると分子は遠赤外線エネルギーを吸収して分子運動はより激しくなる。  それを共鳴吸収作用という。詳細に説明するとつぎのようである。セラミックコーティング表面より発散する回転電磁波は、自由空間におけるその構造上の特性によって遠赤外線（８−１１マイクロメーター付近の最大エネルギー）に変わる。この遠赤外線は表面より放射されまた別の表面に吸収され、再び交番磁気場により回転電磁波になる返還運動が起きる。（３）  回転電磁波の吸収と節電の原理  既存のエネルギーは導線の中を流れる電子のエネルギーをいうが、最近の研究によれば、電気エネルギーは回転電磁波の流れと電子の振動で構成されていることが明らかになった。それに基づけば、電力線は回転電磁波を吸収すると考えられ、遠赤外線の放射体エネルギーの通路線が電力線に接続されたとき、電力線内に流れる回転電磁波の流れによって、遠赤外線の放射体と電力線の間の定圧差によって吸収力が発生する。そのような吸収力によって遠赤外線の放射体内で生成される回転電磁波は電力線内部に移動するようになるのである。だとすれば、そのような吸収力が節電とどのような関係にあるの電力線内に吸収された回転電磁波は、導線内で新たに原子の結晶結合を作りだし、それにより新しい交番磁気場は、導線内にある既存の電気抵抗で損なわれていた熱エネルギーを再び回転電磁波にし、有効エネルギーとして還元させる。この回転電磁波は、結果的に、導線内に様々な抵抗を減少させる決定的な役割を果たすようになり、約５％〜１５％程度の電気エネルギーを節減する効果を提供する。遠赤外線放射体の適応期間と回転電子の役割を見ると、電力線内に吸収された回転電磁波は、導線の微細な構造に結晶結合を形成させるが、継続して回転電磁波が供給されると、その結合は再び切れてしまう。共有結合は電流の流れを阻害するので、共有結合によって保護される結晶結合だけが最後にのこり、結局電気節電作用が安定遠赤外線の波長帯を発生させる遠赤外線の放射体の材料としては、通常使われている放射体材を多様に使用することができる。特に、天然の遠赤外線の放射体材料をそのまま粉末化して使用できるだけではなく、通常の方法で焼成して粉末したものも使用可能である。望ましいのは、一般的に採鉱される絹雲母またはｑｕａｒｔｚ（石英）ｐｏｒｐｈｙｒｙ（斑岩）であり、それらをそのまま粉末したものを使うか、焼成して粉末化したセラミックを用いる。絹雲母の波長帯による放射エネルギーを計ると、図１のようである。絹雲母の最大波長が８〜１１マイクロメーターであることから、本発明に適合している放射体であることが分かる遠赤外線の放射体は必要によって、多様に成形して使用可能であり、プラステックや金属表面に１ミリ以上の厚さを設けるように、遠赤外線の放射材料をコーティングしてからそれに合うボックスを成形する。遠赤外線の放射体は、一般的に熱を加えると赤外線の放射エネルギー量が急激に増加するだけではなく、放射された波長が益々短波長の方に移動するようになる。したがって、本発明によって、遠赤外線の放射体を適切な温度範囲内で加熱する場合、赤外線の放射エネルギー量の増加に伴い電気進路を構成する伝導体の活性しかし、温度が高すぎると、本発明が必要とする波長帯より外れてしまうので望ましくない。適切な加熱温度は、１５０℃以下である。遠赤外線の放射により電力節減効果を十分に得られるために、遠赤外線を電気線路に供給する位置が重要で、屋外配線より供給される電圧を変換する変圧器のすぐ後の電気進路と電力消費量が多い負荷の方に、たくさんの遠赤外線が供給できるようにするのが望まし最も簡単な方式としては、遠赤外線の放射体の内部に電気信号を通過させ電気線路に遠赤外線を供給することである。別の方法としては、伝達媒体を用いて電気線路に遠赤外線を供給することもある。
【０００４】以下は、本発明の実施例を、図面を用いて詳細に説明する。図２は、本発明の一部欠損図であり、図３は図２の垂直断面図で、本発明の節電装置（１００）は、外部への漏れを遮断した金属またはプラスティックハウジング（１０）の内壁には絹雲母などを材料として回転電磁波を発散させるセラミック層（１１）を形成（１ミリの厚さが望ましい）し、内部空間には一定の高さの間隔維持棒（１２）に支えられる内蓋（２０）を置き、内蓋板（２０）と床板の間の自由空間には、誘導される回転電磁波が浸透する電導板（３０）を支えの絶縁板（３１）に設け、電導板（３０）は、電源とつながっている電線（３３）上記の内蓋板（２０）は、ハウジング（１０）の内壁との間に一定の空間できるようにある程度の大きさがよい。そして、内蓋板（２０）は、ハウジング（１０）の床面と中間位置にくるように支えの絶縁板（３１）の高さを調整する。（２１）は蓋のセラミック層、（２２）は内蓋板（２０）を間隔維持棒（１２）と結合するネジ、（３２）は電導板（３０）を支えの絶縁板（３１）に固定するネジ、（３４）は電源の電力線とコンセントにつなこのように構成している本発明は、図２のように、節電装置（１００）を組立てする前と後に、セラミック層（１１）を加熱（１００℃〜１５０℃程度がよいが、それは１５０℃が超えるとハウジング（１０）の変形の恐れがあり、１００℃未満であるとセラミック層の活性化が鈍くなり欲しい回転電磁波の生成が難しい）してから出荷すそうすると、加熱によるセラミック層（１１）自体の共有結合と結晶化パイ結合が活性化し、交番磁気場と回転電磁波が生成される。それらは、図３のように、数多い波長形態として内部で生成され、内蓋板（２０）を経て共鳴吸収作用が発生する。それは、内蓋板（２０）が金属板で、その上下に蓋のセラミック層になっていることで、金属板の結晶結合とセラミックの共有結合の境界層においてはより多くの回転電磁波が生成され、相互の回転電磁波の発生作用が爆発的に増加するからである。すなわち、セラミック層（１１）のコーティング表面で発散する回転電磁波は、自由空間で内蓋板（２０）の蓋のセラミック（２１）と反射及び吸収を繰り返し交番磁気場より回転電磁波に変わる変換運動が連続的に起きるようになる。この場合、内蓋板（２０）は、ハウジング（１０）の内壁と一定の空間を保つように、大きさがデザインされているので、内蓋板（２０）の上下面に沿って回転電磁波が吸収と反復ができるようにする運動エネルギーを、持続的に発散する作用をする。そして、支えの絶縁板（３１）は、電導板（３０）の位置が、床面と内蓋板（２０）の中央にくるようにしたので、電導板（３０）に誘導吸収される回転電磁波の量を極大化させる。その回転電磁波は、内蓋板（２０）と床面の間の自由空間で最も活性化されるので自由空間にある電導板（２０）に誘導される。電導板（３０）は、図４のように、電源を供給する一般コンセント（４０）の電源端と接続し、電源端と接続された電力線（４１）には自体の回転電磁波の流れはあるものの、節約装置（１００）のハウジング（１０）内で発生する回転電磁波の強さが相対的に弱いので、図４のように、ハウジング（１０）の電導板（３０）と電線（３３）を通じてつながっている差し込み（３４）をコンセント（４０）に接続することによって、ハウジング（１０）内で誘導された回転電磁波が電力線それは、節電装置（１００）と電源供給用の電力線（４１）の間に定圧の差により吸収力が発生するからである。そのような吸収力によって、節電装置（１００）で生成された回転電磁波は、電力線（４１）内部に持続的に移動するようになる。電力線（４１）内部に吸収された回転電磁波は導線内で新たな原子の結晶結合を作りだし、よって新しい交番磁気場は、導線内に既存の電気抵抗で損なわれている熱エネルギーを、再び回転電磁波を作り直し有効電気エネルギーに還元させる。この回転電磁波が、結果的に、導線内で様々な抵抗を減少させる決定的な役割を果たすことになる。抵抗が減少したというのは、電流が減少する結果を招き（抵抗による損失が少なくなり、少量の電流でも所願の電力が得られるという理論）、電力量（Ｐ）＝Ｉ×  Ｖ×  ＣＯＳθだとすれば、電圧は一定であるので、電流の値が少なくなり、消費電力量が減少する効果が得られることである。それは、実際に図５のように、電力及び電流の値の減少効果を、一定の負荷状態で持続的な試験を行うことで証明される（測定機器：ＳＹＳＴＥＭ  ＶＩＰ  ３  ＥＮＥＲＧＹ  ＡＮＡＬＹＺＥＲ−Ｍａｄｅ  ｉｎ  Ｉｔａｌｙ）以上、説明した本発明は、実施の例及び図面に限られたものではなく、本発明の技術的な範囲内での様々な置換、変形及び変更が可能であり、それについては、本発明に属する技術分野の一般的な知識を持つ者には明らかにわかるのである。
【０００５】（発明の効果）  以上のように、本発明は、電気線路を構成する伝導体に熱力学的な活性化エネルギーである回転電磁波（ＩＩ−ＲＡＹ）（Ｇｉｂｂｓ  ｆｒｅｅ  ｅｎｅｒｇｙ）を供給する空間を設け、空間内における回転電磁波を発生するセラミック層を内壁に塗布したハウジング、ハウジング内部の空間に一定の高さを保たれ、セラミック層で発散する回転電磁波を吸収及び発散を繰り返して共鳴吸収を行う作用をする内蓋板、セラミック層で発生する回転電磁波を収集できるようにする、一定空間の導電体である導電板、導電板を通じて収集される回転電磁波を排出させる伝導体につながっている線路まで含んで構成しているので、線路を通じて排出する活性化エネルギーにより伝導体（電源電力線）の抵抗が減少する。それによって、抵抗による電流量の損失を防ぎ、電力の消費量を減らすことができ電気エネルギーの節減がそれは、一定時間の間累積すれば、少なくとも５％〜１５％の電気が節約できる、画期的な電気節約方法である。
【図面の簡単な説明】
【０００６】
【図１】は、一般的なセラミック層より発散する波長別エネルギー波形
【図２】は、本発明の、重要部の一部に関する斜視図
【図３】は、本発明の断面図
【図４】は、本はつめいの使用状態を表した説明図
【図５】は、本発明の試験成績書図面の主要部分についての名称１０：ハウジング  １１：セラミック層  １２：間隔維持棒  ２０
2006202777.tif 000003
３２：ネジ  ３３：電線  ３４：差し込み  １００：絶縁装置
【図１】
2006202777.tif 000004
【図２】
2006202777.tif 000005
【図３】
2006202777.tif 000006
【図４】
2006202777.tif 000007
【図５】
2006202777.tif 000008